(57)【要約】【課題】複数の表示制御装置で共有した場合でも、誤り訂正が可能で、使い勝手のよい不揮発性表示モジュールを提供する。【解決手段】不揮発性表示モジュール１００は、表示制御装置２００に接続されて、当該表示制御装置２００から転送されたデータを表示する。具体的には、画像データを表示制御装置２００から受け付けて表示する表示領域１１０と、画像データの誤り訂正コードを、表示制御装置から受け付けて表示する冗長領域１２０とを備える。【選択図】図２
2010204309.tif 000002
【特許請求の範囲】
【請求項１】
表示制御装置に接続されて、当該表示制御装置から転送されたデータを表示する不揮発性表示モジュールであって、
画像データを前記表示制御装置から受け付けて表示する表示領域と、
前記画像データの誤り訂正コードを、前記表示制御装置から受け付けて表示する冗長領域とを備える
不揮発性表示モジュール。
【請求項２】
該不揮発性表示モジュールは、正に帯電した複数の粒子である正極粒子群と、負に帯電した複数の粒子である負極粒子群と、前記表示領域及び前記冗長領域に区画され、前記正極粒子群及び負極粒子群を封入する筐体とを備え、前記筐体に電圧が印加されることによってデータを表示するものであって、
前記筐体の前記表示領域には、互いに異なる色に着色された第１の正極粒子群と第１の負極粒子群とが封入されており、
前記筐体の前記冗長領域には、同一色に着色された第２の正極粒子群と第２の負極粒子群とが封入されている
請求項１に記載の不揮発性表示モジュール。
【請求項３】
表示領域及び冗長領域を備える不揮発性表示モジュールを制御する表示制御装置であって、
ユーザからの指示を受け付ける操作部と、
前記画像データの入力を受け付ける画像データ入力部と、
前記画像データ入力部に入力された前記画像データに基づいて、前記誤り訂正コードを生成する誤り訂正コード生成部と、
前記画像データ入力部に入力された前記画像データを前記表示領域に表示させると共に、前記誤り訂正コード生成部で生成された前記誤り訂正コードを前記冗長領域に表示させるデータ書き込み部と、
前記操作部に入力された前記表示領域に表示されている前記画像データのリフレッシュ指示に応じて、前記表示領域から前記画像データを読み出すと共に、前記冗長領域から前記誤り訂正コードを読み出すデータ読み出し部と、
前記データ読出し部によって読み出された前記誤り訂正コードに基づいて、前記データ読出し部によって読み出された前記画像データの誤り訂正を行い、前記データ書き込み部を制御して誤り訂正後の画像データを前記表示領域に表示させる誤り訂正部とを備える
表示制御装置。
【請求項４】
該表示制御装置は、さらに、
前記不揮発性表示モジュールを保持する保持部と、
前記保持部に保持された前記不揮発性表示モジュールの前記冗長領域を隠蔽する冗長領域隠蔽部とを備える
請求項３に記載の表示制御装置。
【請求項５】
請求項１又は２に記載の不揮発性表示モジュールと、
前記不揮発性表示モジュールを着脱自在に保持する請求項３又は４に記載の表示制御装置とを備える
不揮発性表示システム。
【発明の詳細な説明】
【技術分野】
【０００１】
本発明は、デジタルスチルカメラなどで撮影した画像を表示する表示システムに関する。
【背景技術】
【０００２】
従来の表示システムとして、例えば、デジタルスチルカメラで撮影した画像をメモリカードに記録し、該メモリカードを装着して閲覧できるデジタルフォトフレームなどが知られている。デジタルフォトフレームは液晶ディスプレイを備え、メモリカードから読み出した画像を該液晶ディスプレイに映し出すようになっている。ただし、液晶ディスプレイに画像を表示させる間は常時電源が必要となるため、近年は電源の不要な表示ディスプレイとして電子ペーパに代表される不揮発性表示モジュールの開発が進んでいる。
【０００３】
このような不揮発性表示モジュールの表示方式としては、例えば、特許文献１に示す電気泳動方式など、さまざまな方式が開発されている。特許文献１によれば、図７に示すようにプラスに帯電した黒色の帯電粒子群（以降、正極粒子群１０２という）と、マイナスに帯電した白色の帯電粒子群（以降、負極粒子群１０３という）とを、透過性のあるカプセル１０１内に封入する。そして、該カプセル１０１の上下に配置された電極１０４、１０５に電圧を印加させることにより、黒色の正極粒子群１０２と白色の負極粒子群１０３とが、夫々極性の異なる電極側に泳動することによって色が変化する。また、粒子群の泳動によってカプセル１０１内には電界エネルギーが保持されるため、無電源状態になっても状態を保持することができる。
【０００４】
また、印加する電圧の違いによって帯電性粒子の泳動状態が変わり、その結果表示濃度が変わることも知られている。特許文献１は、白黒表示に限定されたものであるが、特許文献２は、シアン、マゼンダ、イエローに着色された帯電粒子を用いてカラー化を実現している。
【０００５】
前述した電子ペーパは、電圧を印加しない状態で放置すると、電界エネルギーすなわち電極間の電圧が変化してしまうため、永久的にその表示状態を保つことが出来ない。言い換えると再度正しい電圧を印加することによって再表示（以降、「リフレッシュ」という）する必要がある。
【特許文献１】特開２００７−５２２０２号公報
【特許文献２】特開２０００−３５５９８号公報
【発明の開示】
【発明が解決しようとする課題】
【０００６】
しかしながら、リフレッシュを行うためには、元となる画像データを常に表示システムに保持しておく必要がある。具体的には不揮発性表示モジュールに表示した画像、すなわち該画像が記録されていたメモリカードを装着し続けなければならないといった制約条件を課すこととなる。
【０００７】
そこで、本発明は、前述した制約条件が不要、すなわち使い勝手のよい不揮発性表示モジュール、表示制御装置、及び不揮発性表示システムを提供することを目的とする。
【課題を解決するための手段】
【０００８】
本発明に係る不揮発性表示モジュールは、表示制御装置に接続されて、当該表示制御装置から転送されたデータを表示する。具体的には、画像データを前記表示制御装置から受け付けて表示する表示領域と、前記画像データの誤り訂正コードを、前記表示制御装置から受け付けて表示する冗長領域とを備える。上記構成とすることにより、当該不揮発性表示モジュールを複数の表示制御装置で共用する場合でも、冗長領域に保持されている誤り訂正コードに基づいて、画像データのリフレッシュを行うことが可能となる。
【０００９】
また、該不揮発性表示モジュールは、正に帯電した複数の粒子である正極粒子群と、負に帯電した複数の粒子である負極粒子群と、前記表示領域及び前記冗長領域に区画され、前記正極粒子群及び負極粒子群を封入する筐体とを備え、前記筐体に電圧が印加されることによってデータを表示するものである。そして、前記筐体の前記表示領域には、互いに異なる色に着色された第１の正極粒子群と第１の負極粒子群とが封入されており、前記筐体の前記冗長領域には、同一色に着色された第２の正極粒子群と第２の負極粒子群とが封入されていてもよい。
【００１０】
電気泳動方式の不揮発性表示モジュールにおいては、上記のように、正極粒子群と負極粒子群とを同一色とすることにより、冗長領域を非可視化することができる。これにより、ユーザに表示不良等と誤解されるのを防止することができる。
【００１１】
本発明に係る表示制御装置は、表示領域及び冗長領域を備える不揮発性表示モジュールを制御する。具体的には、ユーザからの指示を受け付ける操作部と、前記画像データの入力を受け付ける画像データ入力部と、前記画像データ入力部に入力された前記画像データに基づいて、前記誤り訂正コードを生成する誤り訂正コード生成部と、前記画像データ入力部に入力された前記画像データを前記表示領域に表示させると共に、前記誤り訂正コード生成部で生成された前記誤り訂正コードを前記冗長領域に表示させるデータ書き込み部と、前記操作部に入力された前記表示領域に表示されている前記画像データのリフレッシュ指示に応じて、前記表示領域から前記画像データを読み出すと共に、前記冗長領域から前記誤り訂正コードを読み出すデータ読み出し部と、前記データ読出し部によって読み出された前記誤り訂正コードに基づいて、前記データ読出し部によって読み出された前記画像データの誤り訂正を行い、前記データ書き込み部を制御して誤り訂正後の画像データを前記表示領域に表示させる誤り訂正部とを備える。
【００１２】
上記構成の表示制御装置によれば、不揮発性表示モジュールに対する誤り訂正コードの設定、及び冗長領域に保持されている誤り訂正コードに基づいて、画像データのリフレッシュが可能となる。
【００１３】
さらに、該表示制御装置は、前記不揮発性表示モジュールを保持する保持部と、前記保持部に保持された前記不揮発性表示モジュールの前記冗長領域を隠蔽する冗長領域隠蔽部とを備えてもよい。これにより、簡単に冗長領域を非可視化することが可能となる。
【００１４】
本発明に係る不揮発性表示システムは、上記記載の不揮発性表示モジュールと、前記不揮発性表示モジュールを着脱自在に保持する上記記載の表示制御装置とを備える。これにより、複数の表示制御装置で１つの不揮発性表示モジュールを共用可能な不揮発性表示装置を得ることができる。
【発明の効果】
【００１５】
不揮発性表示モジュール上の冗長領域に表示（保持）された誤り訂正コードに基づいてデータの誤り訂正を行うようにしたので、表示制御装置が該データを保持しなくても該データを復元することができる。
【発明を実施するための最良の形態】
【００１６】
（第１の実施形態）
図１Ａ〜図２を参照して、本発明の第１の実施形態に係る不揮発性表示システムを説明する。なお、図１Ａは、本発明の第１の実施形態における不揮発性表示システムの外観図である。図１Ｂは、不揮発性表示モジュール１００の外観図である。図２は、表示制御装置２００の機能ブロック図である。
【００１７】
図１Ａに示されるように、不揮発性表示システムは、不揮発性表示モジュール１００と、表示制御装置２００と、画像データを記録する記録媒体としてのメモリカード３００とを含んで構成される。
【００１８】
不揮発性表示モジュール１００は、図１Ｂに示されるように、表示領域１１０と、冗長領域１２０とを有する。表示領域１１０は、メモリカード３００に記録されている画像データを表示する領域である。一方、冗長領域１２０は、表示領域１１０に表示される画像の誤り訂正コードを表示する領域である。
【００１９】
なお、不揮発性表示モジュール１００は、前述した特許文献１に開示されたような、電気泳動方式に基づくものであり、ここでは簡単のため白黒表示とする。具体的には、不揮発性表示モジュール１００は、図７に示されるように、透明又は半透明のカプセル（筐体）１０１と、カプセル１０１に封入される正極粒子群１０２及び負極粒子群１０３とを備える。
【００２０】
なお、正極粒子群１０２及び負極粒子群１０３は、互いに異なる色に着色されている。第１の実施形態においては、正極粒子群１０２を黒色に着色し、負極粒子群を白色に着色している。また、カプセル１０１には電極１０４、１０５が設けられている。この電極１０４、１０５は、表示領域１１０及び冗長領域１２０に含まれる画素毎に電圧を印加することができる。
【００２１】
一方、表示制御装置２００は、メモリカード３００に記録されている画像データのビットデータを電圧値に変換する。そして、当該電圧値を表示領域１１０の各画素に印加することにより、正極粒子群１０２及び負極粒子群１０３が泳動し、表示領域１１０に所望の画像が表示される。冗長領域１２０に誤り訂正コードを表示する場合も同様である。なお、不揮発性表示モジュール１００は、表示制御装置２００からの電源の供給が停止しても、表示領域１１０及び冗長領域１２０に画像を表示し続けることができる。
【００２２】
表示制御装置２００は、図１Ａに示されるように、不揮発性表示モジュール１００を着脱自在に保持する保持部２０１と、ユーザからの様々な指示を受け付ける操作部２０２と、警告表示灯としてのＬＥＤ２０３と、不揮発性表示モジュール１００の冗長領域１２０を隠蔽する隠蔽用カバー２０４とを備える。
【００２３】
操作部２０２が受け付けるユーザからの指示としては、例えば、電源のＯＮ及びＯＦＦ、画像データを表示領域１１０に表示させる表示指示、表示領域１１０に表示されている画像のリフレッシュ指示等がある。
【００２４】
また、表示制御装置２００は、図２に示されるように、ＣＰＵ（Ｃｅｎｔｒａｌ  Ｐｒｏｃｅｓｓｉｎｇ  Ｕｎｉｔ）２１０と、読み書き部２２０と、画像データ及び誤り訂正コードを一時的に保持するバッファ２３０と、誤り訂正コード生成部２４０と、誤り訂正部２５０とを備える。
【００２５】
ＣＰＵ２１０は、表示制御装置２００全体の処理を統括する。読み書き部２２０は、メモリカード３００、バッファ２３０、及び不揮発性表示モジュール１００の間で画像データ及び誤り訂正コードの読み書きを行う。
【００２６】
具体的には、操作部２０２に画像データの表示指示が入力されたことを契機として、メモリカード３００から画像データを読み出してバッファ２３０に書き込む（画像データ入力部）。さらに、バッファ２３０に保持されている画像データを電圧値に変換して表示領域１１０に表示させる（データ書き込み部）。同様に、バッファ２３０に保持されている誤り訂正コードを電圧値に変換して冗長領域１２０に表示させる（データ書き込み部）。さらに、操作部２０２にリフレッシュ指示が入力されたことを契機として、表示領域１１０に表示されている画像データをビットデータに変換してバッファ２３０に書き込む（データ読出し部）。同様に、冗長領域１２０に表示されている誤り訂正コードをビットデータに変換してバッファ２３０に書き込む（データ読出し部）。さらに、バッファ２３０に保持されている誤り訂正後の画像データを電圧値に変換して表示領域に表示させる。
【００２７】
誤り訂正コード生成部２４０は、バッファ２３０に保持されている画像データに基づいて、誤り訂正コードを生成する。誤り訂正部２５０は、誤り訂正コードに基づいて画像データの誤り訂正を行う。
【００２８】
以上のように構成された不揮発性表示システムの動作について、図３を中心に説明する。なお、図３は、不揮発性表示システムの動作を示すフローチャートである。
【００２９】
ユーザが操作部２０２の操作により電源をＯＮすると、ＣＰＵ２１０は操作部２０２からの電源ＯＮの指示に従い、図３に示すフローチャートに示す処理を開始する。なお、図３に示すフローチャートにおいて、Ｓ２１０番台はＣＰＵ２１０の処理、Ｓ２２０番台は読み書き部２２０の処理、Ｓ２４０番台は誤り訂正コード生成部２４０の処理、Ｓ２５０番台は誤り訂正部２５０の処理を示す。
【００３０】
まず、ＣＰＵ２１０はバッファ２３０のクリアなどの初期化処理を行う（Ｓ２１０）。初期化処理が終わると、操作部２０２の操作状況をウォッチする（Ｓ２１１〜Ｓ２１２）。
【００３１】
操作部２０２がユーザからの「表示指示」を受け付けた場合は（Ｓ２１１でＹｅｓ）、制御を読み書き部２２０に移す。読み書き部２２０は、表示指示のあった画像データをメモリカード３００から読み出し、バッファ２３０に一時保持する（Ｓ２２０）。読み出しが終了すると、ＣＰＵ２１０は制御を誤り訂正コード生成部２４０に移す。誤り訂正コード生成部２４０は、バッファ２３０に一時保持された画像データに基づき誤り訂正コードを生成し、バッファ２３０に一時保持する（Ｓ２４０）。
【００３２】
ここで、誤り訂正方式は、例えばＥＣＣ（Ｅｒｒｏｒ  Ｃｏｒｒｅｃｔｉｎｇ  Ｃｏｄｅ）などの一般的な方式を用いればよい。また、ＥＣＣのコードサイズは、実際に使用する不揮発性表示モジュール１００の表示誤り率などの実測結果に基づいて決めればよい。
【００３３】
次に、誤り訂正コードの生成が終了すると、ＣＰＵ２１０は制御を読み書き部２２０に移す。読み書き部２２０は、バッファ２３０に保持された画像データと誤り訂正コードとを電圧値に変換して、夫々の電圧値を表示領域１１０と冗長領域１２０とに書き込む。この処理により表示領域１１０には所望の画像が表示される（Ｓ２２１）。なお、冗長領域１２０には誤り訂正コードが表示されるが、これはユーザにとって視覚的に好ましくなく、さらにはユーザに表示不良と判断される可能性があるので、隠蔽用カバー２０４で隠蔽する。
【００３４】
以上の処理が終わるとＳ２１１に戻り、ＣＰＵ２１０は再び操作部２０２の操作状況をウォッチする（Ｓ２１１〜Ｓ２１２）。次に、操作部２０２が受け付けた指示が「表示指示」でない場合（Ｓ２１１でＮｏ）は、「リフレッシュ指示」かどうかを判断する（Ｓ２１２）。リフレッシュ指示であった場合（Ｓ２１２でＹｅｓ）、ＣＰＵ２１０は制御を読み書き部２２０に移す。
【００３５】
読み書き部２２０は、不揮発性表示モジュール１００の表示領域１１０及び冗長領域１２０の電圧値を検知し、当該電圧値をビットデータに変換する。そして当該ビットデータを画像データ及び誤り訂正コードとしてバッファ２３０に読み出す（Ｓ２２２）。
【００３６】
読み出しが終了すると、ＣＰＵ２１０は制御を誤り訂正部２５０に移す。誤り訂正部２５０は、バッファ２３０に読み出された誤り訂正コードに基づいて、同じくバッファ２３０に読み出された画像データの誤りを訂正する。訂正された画像データは、再度バッファ２３０に一時保持される（Ｓ２５０）。
【００３７】
誤り訂正部２５０による誤り訂正が可能であった場合（Ｓ２５１でＹｅｓ）、ＣＰＵ２１０は制御を読み書き部２２０に移す。読み書き部２２０は、バッファ２３０に保持された画像データを電圧値に変換し、当該電圧値を不揮発性表示モジュール１００の表示領域１１０に印加する。同様に、誤り訂正コードを電圧値に変換し、当該電圧値を不揮発性表示モジュール１００の冗長領域１２０に印加する（Ｓ２２３）。このときの誤り訂正コードは、最初に生成されたものを継続して使用するのが通常であるが、リフレッシュのたびに生成し直してもよい。
【００３８】
一方、誤り訂正部２５０による訂正が不可能であった場合（Ｓ２５１でＮｏ）、ＣＰＵ２１０は、ＬＥＤ２０３を点滅させるなどして、ユーザに警告する（Ｓ２１３）。ユーザはＬＥＤ２０３の点滅により、修復不能の表示化けがおきてしまった事、すなわち以降リフレッシュ操作をおこなっても無駄であることを認識できる。なお、この場合は、表示領域１１０に画像データを再表示する処理（Ｓ２２３）はスキップされる。
【００３９】
以上のように、誤り訂正部２５０が、不揮発性表示モジュール１００の冗長領域１２０に表示（保持）された誤り訂正コードに基づいて、画像データのリフレッシュを行うようにしたので、表示制御装置２００が無電源状態で該画像データを記憶していなくても、該画像データの復元ができる。
【００４０】
なお、不揮発性メモリを表示制御装置２００に内蔵させ、メモリカード３００から画像データを読み出した時に、該不揮発性メモリに記憶しておくことが考えられるが、コストアップとなるので好ましくない。また、該不揮発性メモリ内に複数の画像データを記憶した場合、どの画像データをリフレッシュ（再表示）するかといった選択操作が必要となるので、ユーザにとって煩雑なものとなる。
【００４１】
（第２の実施形態）
図４Ａは、本発明の第２の実施形態における不揮発性表示システムの外観図である。図１Ａに示した第１の実施形態における不揮発性表示システムとの相違点は、隠蔽用カバー２０４を外し、その代わりに不揮発性表示モジュール４００の冗長領域４２０内のカプセル構造を変更した点（後述）である。図４Ｂは、不揮発性表示モジュール４００の外観図である。冗長領域４２０は、誤り訂正コードの値に関わらず、常に白色が表示される。図５は、不揮発性表示モジュール４００の冗長領域内のカプセル構造を示す説明図である。
【００４２】
第２の実施形態においては、不揮発性表示モジュール４００のカプセル４０１の内部が、表示領域４１０及び冗長領域４２０に区画されている。そして、表示領域４１０には、互いに異なる色に着色された第１の正極粒子群４０２ａと第１の負極粒子群４０３ａとが封入されている。一方、冗長領域４２０には、同一色に着色された第２の正極粒子群４０２ｂと第２の負極粒子群４０３ｂとが封入されている。なお、第２の実施形態においては、第１の正極粒子群４０２ａが黒色に着色されており、第２の正極粒子群４０２ｂと第１及び第２の負極粒子群４０３ａ、４０３ｂとが白色に着色されている。
【００４３】
この構造により、隠蔽用カバー２０４を設けることなく、ユーザにとって無意味な情報を表示させないようにできる。
【００４４】
（使い方例）
図６は、本発明の第１の実施形態における不揮発性表示システムの使い方を示す説明図である。なお、第２の実施形態における不揮発性表示システムについても、同様の使い方が可能であることは言うまでもない。
【００４５】
ユーザａは表示制御装置２００ａを所持しており、ユーザｂは表示制御装置２００ｂを所持している。表示制御装置２００ａ、２００ｂは、ともに不揮発性表示モジュール１００を着脱して使用する構造である。
【００４６】
ユーザａが表示制御装置２００ａを用いて不揮発性表示モジュール１００に表示させた画像を、ユーザｂにプレゼントすることを考える。このような場合、ユーザｂは不揮発性表示モジュール１００に表示させた元データ、すなわちメモリカード等に記録した画像データを所有していないので、従来のシステムでは、データ化けを考慮してバックアップしなければならなかった。しかしながら、本実施の形態では、前述した通り、不揮発性表示モジュール１００に表示された情報に基づいて修復ができる。
【００４７】
なお、第１及び第２の実施形態において、電源ＯＮ直後の初期化時に自動的にリフレッシュするようにしても良い。また、不揮発性表示モジュール１００、４００は、特許文献２に開示された方法などを用いてカラー化してもよい。
【００４８】
また、表示制御装置２００と不揮発性表示モジュール１００、４００との間は、無線通信や光通信によって電圧値を伝送するようにしても構わない。また、不揮発性表示モジュール１００，４００の表示方式は、電気泳動方式に限定されるものではなく、不揮発性の表示素子であって表示情報の読み書きができる方式であれば適用することができる。
【００４９】
上記の各実施形態においては、記録媒体としてメモリカード３００の例を示したが、これに限ることなく、他の記録媒体（ＣＤ、ＤＶＤ、Ｂｌｕ−ｒａｙ等）であってもよいし、通信ネットワークを介して画像データを取得してもよい。
【００５０】
なお、本発明は、表示制御装置として実現できるだけでなく、表示制御装置の機能を実現する集積回路として実現したり、そのような機能をコンピュータに実行させるプログラムとして実現したりすることもできる。
【００５１】
また、集積回路化の手法はＬＳＩ（Ｌａｒｇｅ  Ｓｃａｌｅ  Ｉｎｔｅｇｒａｔｉｏｎ）に限るものではなく、専用回路または汎用プロセッサで実現してもよいし、ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【００５２】
また、プログラムデータは、記録媒体を介して記憶装置内に導入されてもよいし、記録媒体上から直接実行されてもよい。なお、記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤやＢＤ等の光ディスクやＳＤカード等のメモリカード等の記録媒体をいう。また、記録媒体は、電話回線や搬送路等の通信媒体も含む概念である。
【００５３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５４】
本発明にかかる不揮発性表示システムは、電子ペーパなどの不揮発性の表示媒体を備えたシステム全般において有益である。
【図面の簡単な説明】
【００５５】
【図１Ａ】本発明の第１の実施形態における不揮発性表示システムの外観図である。
【図１Ｂ】本発明の第１の実施形態における不揮発性表示モジュールの外観図である。
【図２】本発明の第１の実施形態における不揮発性表示システムの構成図である。
【図３】本発明の第１の実施形態における不揮発性表示システムの動作を示すフローチャートである。
【図４Ａ】本発明の第２の実施形態における不揮発性表示システムの外観図である。
【図４Ｂ】本発明の第２の実施形態における不揮発性表示モジュールの外観図である。
【図５】本発明の第２の実施形態における不揮発性表示モジュールのカプセル構造を示す説明図である。
【図６】本発明の第１及び第２の実施形態における不揮発性表示システムの使い方を示す説明図である。
【図７】電気泳動方式に基づくカプセル構造を示す説明図である。
【符号の説明】
【００５６】
１００，４００                  不揮発性表示モジュール
１０１，４０１                  カプセル
１０２                          正極粒子群
１０３                          負極粒子群
１０４，１０５                  電極
１１０，４１０                  表示領域
１２０，４２０                  冗長領域
２００，２００ａ，２００ｂ      表示制御装置
２０１                          保持部
２０２                          操作部
２０３                          ＬＥＤ
２０４                          隠蔽用カバー
２１０                          ＣＰＵ
２２０                          読み書き部
２３０                          バッファ
２４０                          誤り訂正コード生成部
２５０                          誤り訂正部
３００                          メモリカード
４０２ａ                        第１の正極粒子群
４０２ｂ                        第２の正極粒子群
４０３ａ                        第１の負極粒子群
４０３ｂ                        第２の負極粒子群
【図１Ａ】
2010204309.tif 000003
【図１Ｂ】
2010204309.tif 000004
【図２】
2010204309.tif 000005
【図３】
2010204309.tif 000006
【図４Ａ】
2010204309.tif 000007
【図４Ｂ】
2010204309.tif 000008
【図５】
2010204309.tif 000009
【図６】
2010204309.tif 000010
【図７】
2010204309.tif 000011